(57)【要約】【課題】デジタル放送の受信機において自動選局を正確に行うこと。【解決手段】本発明では、選局する周波数を徐々に変更すると共に、それぞれの周波数でのＳメータ信号のレベルを複数サンプリングする。そして、サンプリングされた複数の値を比較し、放送局の有無を判別する。さらに、ＩＦカウンタ値の変化の状態もサンプリングして、Ｓメータ信号のレベルの複数のサンプリングと組み合わせることにより、正確に放送局の有無の判断ができるようにする。【選択図】図１
2006279271.tif 000002
【特許請求の範囲】
【請求項１】
選局周波数を変更するステップと、選局周波数に対応した受信状態を示す検出信号を得るステップと、複数の選局周波数に対応した複数の検出信号の変化に基づき有局周波数を判別してなる自動選局方法。
【請求項２】
前記複数個は、３である請求項１の自動選局方法。
【請求項３】
前記検出信号は、複数種類ある請求項２の自動選局方法。
【請求項４】
前記検出信号はＳメーター信号とＩＦカウンタ値である請求項３の自動選局方法。
【請求項５】
前記有局周波数の判別は、前記ＩＦカウント値が所定範囲内に有り、前記Ｓメーター信号のレベルが、所定の変化を呈してなることを判別して行う請求項４の自動選局方法。
【請求項６】
チューナの選局周波数を変更する手段と、
選局周波数に対応した受信状態を示す検出信号を得る検出信号作成手段と、
複数の選局周波数に対応した複数の検出信号の変化に基づき有局周波数を判別する判別手段を備えてなる自動選局装置を有するラジオ受信機。
【請求項７】
前記複数個は3である請求項6記載のラジオ受信機。
【請求項８】
前記検出信号は複数種類ある請求項7記載のラジオ受信機。
【請求項９】
前記検出信号はＳメーター信号とＩＦカウント値である請求項８記載のラジオ受信機。
【請求項１０】
前記有局周波数の判別は、前記ＩＦカウント値が所定範囲内に有り、前記Ｓメーター信号のレベルが、所定の変化を呈してなることを判別して行う請求項９のラジオ受信機。
【発明の詳細な説明】
【技術分野】
【０００１】
本発明は、自動選局方法及び自動選局機能を備えたラジオ受信機に関する。
【背景技術】
【０００２】
使用者の指示に従い若しくは自動的に選局動作をスタートして、有局周波数（尚、ここで、有局周波数とは、放送局が存在するラジオ放送の周波数のことをいう）にいたれば自動的に停止する自動選局の機能が採用されているラジオ受信機がある。例えば、車載用のラジオ受信機にこの自動選局の機能が搭載されていると、使用者は運転動作に集中することができる。
【０００３】
自動選局方法の重要な技術的要素としては、放送局の検出方法、すなわち、有局周波数かどうかの検出方法がある。通常は、選局周波数を順次変更して行き、例えば、中間周波数信号の強度が最大になった周波数で、周波数の変更を停止する。この周波数において、放送が行われていると判断するわけである。
【０００４】
自動選局方法には、判別の正確さが要求される。正しく、放送が行われている周波数を特定できなければならない。例えば、特開平１０−２００４３５号公報に開示されたラジオ受信機では、受信信号の周波数偏移から放送信号の有無を検出するＳＤ信号、IFカウンタ値および隣接妨害信号の大きさに基づき放送局の有無を判別している。
【特許文献１】特開平１０−２００４３５号公報（H04B  1/16）
【発明の開示】
【発明が解決しようとする課題】
【０００５】
近年、デジタルラジオ放送が開始され、車載用のデジタルラジオ受信機も開発・商品化されている。このデジタルラジオ受信機において、自動選局機能を設けることがのぞましい。自動選局機能は、使用者の指示若しくは、受信状態が悪化したとき等に、現在選局している周波数から、別の放送局のある周波数へ変更する動作である。より具体的には、選局している周波数を少しずつ変更する。そして、IFカウンタの値及び中間周波数の信号レベル（Ｓメータ信号レベル）の両方が、予め定められた条件より、よい状態になった周波数を検出する。そして、その検出された周波数において、周波数の変更動作を終了する。Ｓメータ信号のレベルとＩＦカウンタ値が条件に合致した周波数には、放送局が存在すると判断するわけである。この判断は、例えばＳメータ信号レベルが例えば、図４に示す如く変化すると言う単純な前提に成り立っている。
【０００６】
しかしながら、デジタル放送の受信機の場合、Ｓメータ信号レベルが、所定のしきい値より大きくなった状態でもって、放送局が存在すると言う判断を行った場合、失敗することがあった。また、ＩＦカウンタ値が所定の値になっていても正しく同調されていない場合があった。これは、Ｓメータ信号レベル及びＩＦカウンタ値が図３に示すように変化する場合があるからである。
【０００７】
そこで、本発明においては、放送局の有無の正しい判別が可能なラジオ受信機及び自動選局方法を提案するものである。
【課題を解決するための手段】
【０００８】
本発明は、デジタル放送の受信において、選局周波数を変更するステップと、選局周波数に対応した受信状態を示す検出信号を得るステップと、複数の選局周波数に対応した複数の検出信号の変化に基づき有局周波数を判別してなる自動選局方法である。
【０００９】
受信状態を示す検出信号としては、Ｓメータ信号及び若しくはＩＦカウント値を用いることができる。また、検出信号のデータは少なくとも３個のデータを用いることが望ましい。
【発明の効果】
【００１０】
以上の構成により、本発明によれば、デジタルラジオ放送の受信において、正確な判別が可能な自動選局方法及びラジオ受信機を提供することができる。
【発明を実施するための最良の形態】
【００１１】
以下、図面に従い、本発明の１実施例について説明する。図１は本発明の一実施例における動作を説明するフローチャート、図２は、実施例の構成を示すブロック図、図３は、選局周波数の変化に伴うＳメータ信号とＩＦカウンタ値との変化の状態を示す特性図、図４は選局周波数の変化に伴う簡略化されたＳメータ信号の変化を示す特性図である。
【００１２】
まず、図2に基づき、ハードウェア的な構成について説明する。１はアンテナ、２は、デジタルラジオ放送対応のチューナであり、その機能は、所定の周波数の高周波信号を選択して、中間周波数に変換して出力する。出力された中間周波数信号は、信号処理回路３により、所定の信号処理が行われて、音声信号が端子４より出力される。その後の増幅回路及びスピーカーについては図示を省略する。
【００１３】
マイクロコンピュータ５は、本実施例のラジオ受信機を制御するものである。マイクロコンピュータには所定のプログラムが格納されており、例えば、チューナ２の動作を制御する。チューナ２の選択する周波数をマイクロコンピュータ５が、チューナ5の端子２ａ（シリアルバス）へのコマンド信号により制御する。マイクロコンピュータ５は、チューナ２からのＳメータ信号のＡＤ変換出力を取り込む。これは、Ｓメータ信号のレベルをチェックするためである。
【００１４】
ＩＦカウンタ値は、チューナ２から出力される中間周波信号の周波数を表すカウント値である。アンテナからの高周波信号がチューナ2において中間周波信号に変換される。放送局が存在する周波数（有局周波数）では、IFカウント値が所定の値になる。マイクロコンピュータ５は、シリアルバス６を介して、IFカウント値を取り込むことができる。
【００１５】
次に、図1他のフローチャートに基づき、本実施例の関連する動作について説明する。図１は、本発明の実施例の自動選局動作を示すフローチャートである。図１３、図１４は、図１の部分の動作の詳細を示すフローチャートである。自動選局モードは、使用者の指示によりスタートする。または、現在受信している放送局の受信状態が、悪化した場合に自動的に自動選局モードを実行する構成も考えられる。受信状態が悪化した場合とは、車載用のデジタルラジオの場合、車の走行と共に放送局からの距離が大きくなり、受信状態が悪化して、ついには、ノイズが多くなり視聴するに耐えない状態となった場合である。
【００１６】
自動選局モードとなると、まず、変数などの初期化が行われる。そして、現在の選局周波数に対して所定の方向で、所定の大きさだけ、選局周波数を変更するステップ１１を行う。ステップ１１の詳細は、図１３に示されている。
【００１７】
まず、現在選局している周波数ｆｔが、最小周波数ｆ＿ｍｉｎと最大周波数ｆ＿ｍａｘの範囲内にあるかどうかがチェックされる。範囲外の場合で、最小周波数ｆ＿ｍｉｎより小さくなっていれば選局周波数ｆｔを最大周波数ｆ＿ｍａｘに設定し、最大周波数ｆ＿ｍａｘより大きくなっていれば、選局周波数ｆｔを最大周波数ｆ＿ｍｉｎに設定する（ステップ１１Ａ）。
【００１８】
次に、自動選局モード開始後初めての処理であるか若しくは、境界時の処理（先のステップ１１Ａにて、最大周波数若しくは最小周波数に設定された場合）の時かどうかが判断される（ステップ１１Ｂ）。この判別は、フラグを用いて行われる。自動選局モードの開始直後には、選局周波数ｆｔ以外に、一つ前の周波数ｆｔ−△ｆ、一つ後の周波数ｆｔ―△ｆについて、それぞれの時点でのＳメータ信号レベルをＡＤ変換してマイクロコンピュータ内に取り込み、記憶する。また、シリアルバス６を介して、それぞれの時点でのＩＦカウント値を得て、記憶する（ステップ１１Ｃ）。そして、ステップ１２へ進む（図１）。尚、現時点ftのＳメータ信号レベルはｓ［ｆｔ］、ＩＦカウンタ値はＩＦ［ｆｔ］に保存される。一つ前のSメータ信号はＳ［ｆｔ−△ｆ］、ＩＦカウンタ値ＩＦ［ｆｔ−△ｆ］に保存される。一つ後のSメータ信号はｓ［ｆｔ＋△ｆ］、ＩＦカウンタ値はＩＦ［ｆｔ＋△ｆ］に保存される。
【００１９】
初回及び境界時（バンドエッジ時）以外の場合は、周波数の変更の方向がアップかダウンかにより定まる次の周波数でのＳメータ信号レベル及びＩＦカウンタ値を計測して、記憶する（ステップ１１Ｄ）。ステップ１１Ｃ及び１１Ｄからは、図１のステップ１２に進み、現在の選局周波数ｆｔにおいて、アナログ放送若しくはデジタル放送が受信可能かどうかチェックされる。アナログ又はデジタル放送のいずれかが受信可能であるならば、有局と判断し、ステップ１４において、現在の選局周波数を一つ前の状態に戻して、自動選局モードを終了する。
【００２０】
アナログ及びデジタル放送の何れをも受信できない場合には、ステップ１３に進んで、選局周波数を変更し、また、次の判定に利用するために、保存している計測データのシフトを行って、ステップ１１に戻る。ステップ１１、１２、１３のループは、有局の周波数が発見されるまで、繰り返されることになる。また、フローチャート図１には示されていないが、全周波数領域を走査しても、有局の周波数が検出できない場合には、自動選局モードを終了してもよい。
【００２１】
図１４はステップ１３の詳細を示している。まず、ステップ１３Ａにて、周波数変更の方向がアップかダウンかを判別し、周波数を下げる方向（ダウン）の場合には、ステップ１３Ｂに示す計測データのシフトを行い、選局周波数ｆｔを△ｆだけ小さくする。また、周波数を上げる方向（アップ）の場合には、ステップ１３Ｃに示す計測データのシフトを行い、選局周波数ｆｔを△ｆだけ大きくする。
【００２２】
ステップ１２での有局無局の判別は、３つのサンプリングデータに基づいて行なわれる。有局であるかどうかの判別条件は、受信機の仕様によって決定する必要がある。判定基準の一例をあげると図１５及び図１６に示すようになる。ここで、Saはアナログ信号の場合のSメータの下限値、ＩＦ１＿Ｌａは、アナログ信号の場合のｆｔ−ΔｆにおけるIFカウンタの下限値、ＩＦ2＿Ｌａは、アナログ信号の場合のｆｔにおけるＩＦカウンタの下限値、ＩＦ３＿Ｌａは、アナログ信号の場合のf t＋ΔｆにおけるＩＦカウンタの下限値、ＩＦ１＿Ｈａは、アナログ信号の場合のｆｔ−Δｆにおける、ＩＦカウンタの上限値、ＩＦ２＿Ｈａは、アナログ信号の場合のｆｔにおける、ＩＦカウンタの上限値、ＩＦ３＿Ｈａは、アナログ信号の場合のｆｔ＋Δｆにおける、ＩＦカウンタの上限値である。
【００２３】
また、Sｄはデジタル信号の場合のSメータの下限値、ＩＦ１＿Ｌｄは、デジタル信号の場合のｆｔ−ΔｆにおけるIFカウンタの下限値、ＩＦ2＿Ｌｄは、デジタル信号の場合のｆｔにおけるＩＦカウンタの下限値、ＩＦ３＿Ｌｄは、デジタル信号の場合のf t＋ΔｆにおけるＩＦカウンタの下限値、ＩＦ１＿Ｈｄは、デジタル信号の場合のｆｔ−Δｆにおける、ＩＦカウンタの上限値、ＩＦ２＿Ｈｄは、デジタル信号の場合のｆｔにおける、ＩＦカウンタの上限値、ＩＦ３＿Ｈｄは、デジタル信号の場合のｆｔ＋Δｆにおける、ＩＦカウンタの上限値である。
【００２４】
図１５と図１６の有局判別の条件は、グラフに表すと、それぞれ、図５及び図６に示すものとなる。すなわち、Ｓメータ信号のレベルが、複数の周波数のポイントにおいて、所定レベルよりも大きく、ＩＦカウンタ値が複数の周波数ポイントにおいて所定範囲に位置することである。
【００２５】
ステップ１２において、アナログ信号及びデジタル信号の受信状況が悪い場合でも、停止させるために以下のような条件にて選局動作停止させてもよい。これらの条件については、図７から図１２までのグラフから、理解できる。いずれにしても、複数の周波数において、データを計測し、その結果を用いて判別することは共通しているが、受信状況が悪い場合でも、有局と判別できるように、条件が緩和されている。
【００２６】
図７から図９までは、アナログ放送における判別条件を示しており、図１７に条件をまとめて示してある。図７においては、中央の周波数ｆｔにおいてのみＳメータ信号レベルが閾値Ｓａより大きくなっており、両サイドでは、閾値Ｓａより小さくなっている。この場合、ＩＦカウント値は、Ｓメータ信号レベルが閾値Ｓａより大きいときのみ、判定に使用される。
【００２７】
図８及び図９の場合は、３組の計測データのうち、２組の計測データが条件に合致した場合である。図８，９に示される条件に合致した場合においても、有局との判定が可能である。
【００２８】
図１０から図１２までは、デジタル放送における判別条件を示しており、図１８に条件をまとめて示してある。この場合も、Ｓメータ信号レベルが所定の閾値Ｓｄより大きいときのみ、ＩＦカウンタ値の比較が行われることは、アナログ信号の場合と同様である。デジタル放送の場合は、アナログ放送の場合と異なり、Ｓメータ信号レベルは、３つの測定周波数のうち、２つの周波数において、閾値Ｓｄより大きいことが必要である。
【図面の簡単な説明】
【００２９】
【図１】本発明の実施例の動作を説明するフローチャートである。
【図２】本発明の実施例の構成を示すブロック図である。
【図３】デジタル放送受信時における、Ｓメータ信号及びＩＦカウンタ値の変化を示す特性図である。
【図４】アナログ放送受信時のＳメータ信号及びＩＦカウンタ値の変化を示す特性図である。
【図５】アナログ放送受信時の停止条件を示す特性図である。
【図６】デジタル放送受信時の停止条件を示す特性図である。
【図７】アナログ放送受信時の別の停止条件を示す特性図である。
【図８】アナログ放送受信時の別の停止条件を示す特性図である。
【図９】アナログ放送受信時の別の停止条件を示す特性図である。
【図１０】デジタル放送受信時の別の停止条件を示す特性図である。
【図１１】デジタル放送受信時の別の停止条件を示す特性図である。
【図１２】デジタル放送受信時の別の停止条件を示す特性図である。
【図１３】動作の詳細を示すフローチャートである。
【図１４】別の動作の詳細を示すフローチャートである。
【図１５】アナログ受信の場合の停止条件をまとめた説明図である。
【図１６】デジタル受信の場合の停止条件をまとめた説明図である。
【図１７】アナログ受信の場合の別の停止条件をまとめた説明図である。
【図１８】デジタル受信の場合の別の停止条件をまとめた説明図である。
【符号の説明】
【００３０】
１  アンテナ
２  チューナ
３  信号処理回路  
４  マイクロコンピュータ
【図１】
2006279271.tif 000003
【図２】
2006279271.tif 000004
【図３】
2006279271.tif 000005
【図４】
2006279271.tif 000006
【図５】
2006279271.tif 000007
【図６】
2006279271.tif 000008
【図７】
2006279271.tif 000009
【図８】
2006279271.tif 000010
【図９】
2006279271.tif 000011
【図１０】
2006279271.tif 000012
【図１１】
2006279271.tif 000013
【図１２】
2006279271.tif 000014
【図１３】
2006279271.tif 000015
【図１４】
2006279271.tif 000016
【図１５】
2006279271.tif 000017
【図１６】
2006279271.tif 000018
【図１７】
2006279271.tif 000019
【図１８】
2006279271.tif 000020